(57)【特許請求の範囲】
【請求項１】
上下に分割され隣接して配設されたケーソン間の施工時にずれが生じた目地に縦方向に配設され、該ずれが生じた目地を覆ってケーソンに取り付けられる目地の幅よりも広幅の弾性体からなる板状の内側目地材と、
この内側目地材を覆うように内側面が配設され、外側面が目地に生じたずれを吸収する平坦な面に形成されるコンクリート台座と、
このコンクリート台座の平坦な外側面に前記目地を挟んで配設固定され、設置後のケーソン間の目地の変位を吸収し得る伸縮部を備える弾性体からなる外側目地材とからなることを特徴とする上下分割ケーソン用目地構造。
【請求項２】
前記コンクリート台座には、変位時の割れを誘発する切込み部を形成してあることを特徴とする請求項１記載の上下分割ケーソン用目地構造。
【請求項３】
前記コンクリート台座には、外側目地材を固定するアンカーを、目地を挟んで埋設してなることを特徴とする請求項１または２記載の上下分割ケーソン用目地構造。
【請求項４】
前記内側目地材および前記コンクリート台座は、海側では縦方向の目地およびフーチング全面を覆って設置して構成したことを特徴とする請求項１〜３のいずれかに記載の上下分割ケーソン用目地構造。
【請求項５】
前記内側目地材および前記コンクリート台座は、陸側では縦方向の目地を覆って設置するとともに、これらに連結して陸側フーチング上に遮水工を設置して構成したことを特徴とする請求項１〜４のいずれかに記載の上下分割ケーソン用目地構造。
【請求項６】
上下に分割され隣接して配設されたケーソン間の縦方向の目地構造を施工するに際し、
下段の隣接して配設されたケーソン間の目地に縦方向に、該目地の幅よりも広幅の板状の内側目地材を配設固定した後、
この内側目地材を覆うように外側面が平坦なコンクリート台座を打設構築し、
次いで、このコンクリート台座に前記目地を挟んで伸縮部を備える外側目地材を配設固定した後、
下段のケーソン上に上段のケーソンを目地同士を略合わせて設置し、
この上段の隣接するケーソン間の目地に縦方向に前記内側目地材に連結して目地の幅より広幅の板状の上段用の内側目地材を配設固定した後、
この上段の内側目地材を覆うとともに、前記コンクリート台座と連続する外側面が平坦なコンクリート台座を上段に打設構築し、
次いで、このコンクリート台座の上段の外側面に、前記外側目地材を伸ばして目地を挟んで配設固定するようにしたことを特徴とする上下分割ケーソン用目地構造の施工法。
【請求項７】
前記コンクリート台座には、変位時の割れを誘発する切込み部を形成して打設構築するようにしたことを特徴とする請求項６記載の上下分割ケーソン用目地構造の施工法。
【請求項８】
前記下段の内側目地材および前記コンクリート台座は、海側では縦方向の目地およびフーチング全面を覆って設置するようにし、陸側では縦方向の目地を覆って設置するようにしたことを特徴とする請求項６または７記載の上下分割ケーソン用目地構造の施工法。
【発明の詳細な説明】
【技術分野】
【０００１】
この発明は、上下分割ケーソン用目地構造およびその施工法に関し、現場の水深の関係等でケーソンが大型化したり、護岸や防波堤や岸壁の長さが長くなると、工事期間が長くなり、その間にあっても工事の内容によっては護岸や防波堤や岸壁の外海側と内海側に船舶の通行を必要として下段のケーソンのみを据え付けておき、船舶の通過の必要がなくなる護岸などの完成に合わせて上段のケーソンを下段のケーソン上に据え付ける上下に分割したケーソンの目地構造およびその施工法で、施工時のケーソンのずれや設置後のケーソンの変位が生じてもシール性を保持できるようにしたものである。
【背景技術】
【０００２】
海洋において埋立地等の造成のための護岸や防波堤などの構築のためコンクリート製や鋼製あるいはこれらを組合わせたケーソンを利用することが広く行われており、陸上において函体のケーソンを造り、海上の現場に運搬し、捨石基礎上に据え付けることが行われる。
【０００３】
従来、ケーソンは、予め必要な高さまで陸上で造り、運搬して据え付けすることが行われているが、現場の水深の関係等でケーソンが大型化したり、護岸や防波堤の長さが長くなると、工事期間が長くなり、その間にあっても工事の内容によっては船舶の通過が必要な場合がある。
【０００４】
このため、例えば、図６に示すように、護岸となる高さを備えた通常のケーソン１と上下に分割したケーソン２とを組み合せて用い、船舶を通過させる部分には、上下に分割したケーソン２の下段のケーソン２ａを複数（図示例では３個）これまでと同様に通常のケーソン１と隣接して据え付けるようにし、船舶の通過の必要がなくなる護岸などの完成に合わせて上段のケーソン２ｂを下段のケーソン２ａ上に据え付けることが考えられており、通常のケーソン１と分割したケーソン２との間および分割したケーソン同士の間の縦方向の目地３を遮水しシールする必要がある。
【０００５】
従来、ケーソンの縦方向の目地を遮水する目地材としては、ゴム・合成樹脂等弾性体の変形を利用する中実型の目地材やゴム・繊維製等の長筒状の袋の中にアスファルト、砂等の流動体を詰めて膨ませる型の目地材を、ケーソンの目地間に縦方向に配置してシールを行うタイプのもの（特許文献１、２等参照）と、ケーソンの目地の埋立側（陸側）より、ゴム・合成樹脂等からなるシート状または板状の目地材を目地の両側のケーソンに跨るように配置してシールを行うタイプのもの（特許文献３等参照）がある。
【特許文献１】特開平９−２４２０４５号公報
【特許文献２】特開平１１−１３０４１号公報
【特許文献３】特開２０００−２９０９６５号公報
【発明の開示】
【発明が解決しようとする課題】
【０００６】
このような分割した上段のケーソン２ｂを下段のケーソン２ａ上に据え付けする場合には、船舶を通過させる航路の両側には、既設のケーソン１，１が位置することから目地を広く確保することが難しく、しかも上段のケーソン２ｂを運搬し据え付ける際に、図  ７に示すように、下段のケーソン２ａ，２ａ間には、前後方向のずれｘおよび上下方向のずれｚが発生するとともに、上下段のケーソン２ａ，２ｂ間には、前後方向のずれｘ´のほか、左右方向のずれｙが発生し、これらの位置ずれのほか、据え付け後には、上下のケーソン２ａ，２ｂが地震時等にそれぞれ変位することが予想される。
【０００７】
ところが、従来のケーソンの目地構造に用いられる目地材は、いずれのタイプも上下一体のケーソンを対象とする目地材であり、目地間に設置するタイプの目地材では、図８に示すように、左右方向のずれｙや上下方向のずれｚによって目地材４とケーソン２ａ、２ｂとの間に隙間５が生じてしまう虞がある。  
また、ケーソンの陸側に目地の両側のケーソンに跨がるように設置するタイプの目地材では、前後方向のずれｘによって隙間が生じてしまう虞がある。
【０００８】
このように、従来のケーソン用の目地材をそのまま適用して目地構造を構成することができないことから、上下に分割したケーソンに対応できる目地構造の開発が望まれている。
【０００９】
この発明は、かかる従来技術の問題と要望に鑑みてなされたものであって、上下に分割されたケーソンに対しても施工時のケーソンのずれや据え付け後のケーソンに変位が生じてもシール性を保持することができる上下分割ケーソン用目地構造およびその施工法を提供しようとするものである。
【課題を解決するための手段】
【００１０】
上記課題を解決するためこの発明の請求項１記載の上下分割ケーソン用目地構造は、上下に分割され隣接して配設されたケーソン間の施工時にずれが生じた目地に縦方向に配設され、該ずれが生じた目地を覆ってケーソンに取り付けられる目地の幅よりも広幅の弾性体からなる板状の内側目地材と、この内側目地材を覆うように内側面が配設され、外側面が目地に生じたずれを吸収する平坦な面に形成されるコンクリート台座と、このコンクリート台座の平坦な外側面に前記目地を挟んで配設固定され、設置後のケーソン間の目地の変位を吸収し得る伸縮部を備える弾性体からなる外側目地材とからなることを特徴とするものである。
この上下分割ケーソン用目地構造によれば、上下に分割され隣接して配設されたケーソン間の施工時にずれが生じた目地に縦方向に、該ずれが生じた目地を覆ってケーソンに取り付けられる目地の幅よりも広幅の弾性体からなる板状の内側目地材を配設し、この内側目地材を覆うように内側面が配設され、外側面が目地に生じたずれを吸収する平坦な面に形成されるコンクリート台座を配設し、このコンクリート台座の平坦な外側面に前記目地を挟んで設置後のケーソン間の目地の変位を吸収し得る伸縮部を備える弾性体からなる外側目地材を配設して固定するようにしており、目地の前後を内側目地材で塞いで、その上にコンクリート台座を打設して外側を平坦にすることで、分割されたケーソンの施工時のずれを吸収するようにし、平坦なコンクリート台座を介して外側に外側目地材を取り付けて設置後のケーソンの遮水性の確保および地震時等の変位への対応ができるようにしている。
【００１１】
また、この発明の請求項２記載の上下分割ケーソン用目地構造は、請求項１記載の構成に加え、前記コンクリート台座には、変位時の割れを誘発する切込み部を形成してあることを特徴とするものである。  
この上下分割ケーソン用目地構造によれば、前記コンクリート台座には、変位時の割れを誘発する切込み部を形成してあり、地震時等の大きな力が加わる場合には、切込み部によって割れを誘発することで、損傷を抑え、外側目地材でシール性を確保するようにしている。
【００１２】
さらに、この発明の請求項３記載の上下分割ケーソン用目地構造は、請求項１または２記載の構成に加え、前記コンクリート台座には、外側目地材を固定するアンカーを、目地を挟んで埋設してなることを特徴とするものである。  
この上下分割ケーソン用目地構造によれば、前記コンクリート台座には、外側目地材を固定するアンカーを、目地を挟んで埋設してあり、アンカーによって容易かつ強固に外側目地材をコンクリート台座に取り付けることができるようにしている。
【００１３】
また、この発明の請求項４記載の上下分割ケーソン用目地構造は、請求項１〜３のいずれかに記載の構成に加え、前記内側目地材および前記コンクリート台座は、海側では縦方向の目地およびフーチング全面を覆って設置して構成したことを特徴とするものである。
この上下分割ケーソン用目地構造によれば、海側では縦方向の目地およびフーチング全面を覆って目地構造を設置することで、完全な遮水性を確保できるようにしている。
【００１４】
さらに、この発明の請求項５記載の上下分割ケーソン用目地構造は、請求項１〜４のいずれかに記載の構成に加え、前記内側目地材および前記コンクリート台座は、陸側では縦方向の目地を覆って設置するとともに、これらに連結して陸側フーチング上に遮水工を設置して構成したことを特徴とするものである。  
この上下分割ケーソン用目地構造によれば、陸側では内側目地材およびコンクリート台座を縦方向の目地部分に設置し、これに連結して陸側フーチング上に遮水工を施工することで、海水の遮水性だけでなく、埋め立てなどにともなう他の液体などの廃棄物のシール性を確保できるようになる。
【００１５】
また、この発明の請求項６記載の上下分割ケーソン用目地構造の施工法は、上下に分割され隣接して配設されたケーソン間の縦方向の目地構造を施工するに際し、下段の隣接して配設されたケーソン間の目地に縦方向に、該目地の幅よりも広幅の板状の内側目地材を配設固定した後、この内側目地材を覆うように外側面が平坦なコンクリート台座を打設構築し、次いで、このコンクリート台座に前記目地を挟んで伸縮部を備える外側目地材を配設固定した後、下段のケーソン上に上段のケーソンを目地同士を略合わせて設置し、この上段の隣接するケーソン間の目地に縦方向に前記内側目地材に連結して目地の幅より広幅の板状の上段用の内側目地材を配設固定した後、この上段の内側目地材を覆うとともに、前記コンクリート台座と連続する外側面が平坦なコンクリート台座を上段に打設構築し、次いで、このコンクリート台座の上段の外側面に、前記外側目地材を伸ばして目地を挟んで配設固定するようにしたことを特徴とするものである。  
この上下分割ケーソン用目地構造の施工法によれば、下段のケーソン間の縦方向の目地を内側目地材で塞ぎ、その上にコンクリート台座を打設し、その平坦な外側に外側目地材を設置して遮水状態とした後、上段のケーソンを設置し、内側目地材を連結して設置するとともに、コンクリート台座も連結して打設し、コンクリート台座の外側には、連続した外側目地材を伸ばして固定することで、分割されたケーソンのずれを吸収するように施工でき、平坦なコンクリート台座を介して外側に一体に連続した外側目地材を取り付けて遮水性の確保および地震時等の変位への対応ができるようになる。
【００１６】
さらに、この発明の請求項７記載の上下分割ケーソン用目地構造の施工法は、請求項６記載の構成に加え、前記コンクリート台座には、変位時の割れを誘発する切込み部を形成して打設構築するようにしたことを特徴とするものである。  
この上下分割ケーソン用目地構造の施工法によれば、前記コンクリート台座には、変位時の割れを誘発する切込み部を形成して打設構築するようにしており、地震時等の大きな力が加わる場合には、切込み部によって割れを誘発するように施工でき、損傷を抑え、外側目地材でシール性を確保できるようになる。
【００１７】
また、この発明の請求項８記載の上下分割ケーソン用目地構造の施工法は、請求項６または７記載の構成に加え、前記下段の内側目地材および前記コンクリート台座は、海側では縦方向の目地およびフーチング全面を覆って設置するようにし、陸側では縦方向の目地を覆って設置するようにしたことを特徴とするものである。  
この上下分割ケーソン用目地構造の施工法によれば、前記下段の内側目地材および前記コンクリート台座は、海側では縦方向の目地およびフーチング全面を覆って設置するようにし、陸側では縦方向の目地を覆って設置するようにしており、目地の海側および陸側の両方で中詰材の流出を防止し、遮水性を確保できるようになる。
【発明の効果】
【００１８】
この発明の請求項１記載の上下分割ケーソン用目地構造によれば、上下に分割され隣接して配設されたケーソン間の施工時にずれが生じた目地に縦方向に、該ずれが生じた目地を覆ってケーソンに取り付けられる目地の幅よりも広幅の弾性体からなる板状の内側目地材を配設し、この内側目地材を覆うように内側面が配設され、外側面が目地に生じたずれを吸収する平坦な面に形成されるコンクリート台座を配設し、このコンクリート台座の平坦な外側面に前記目地を挟んで設置後のケーソン間の目地の変位を吸収し得る伸縮部を備える弾性体からなる外側目地材を配設して固定したので、目地の前後を内側目地材で塞いで、その上にコンクリート台座を打設して外側を平坦にすることで、分割されたケーソンの施工時のずれを吸収することができ、平坦なコンクリート台座を介して外側に外側目地材を取り付けることで、設置後のケーソンの遮水性の確保および地震時等の変位への対応ができる。
【００１９】
また、この発明の請求項２記載の上下分割ケーソン用目地構造によれば、前記コンクリート台座には、変位時の割れを誘発する切込み部を形成したので、地震時等の大きな力が加わる場合には、切込み部によってコンクリート台座の割れを誘発することで、損傷を抑えることができ、外側目地材でシール性を確保することができる。
【００２０】
さらに、この発明の請求項３記載の上下分割ケーソン用目地構造によれば、前記コンクリート台座には、外側目地材を固定するアンカーを、目地を挟んで埋設したので、アンカーによって容易かつ強固に外側目地材をコンクリート台座に取り付けることができる。
【００２１】
また、この発明の請求項４記載の上下分割ケーソン用目地構造によれば、前記内側目地材および前記コンクリート台座は、海側では縦方向の目地およびフーチング全面を覆って設置して構成したので、海側の完全な遮水性を確保することができる。
【００２２】
さらに、この発明の請求項５記載の上下分割ケーソン用目地構造によれば、前記内側目地材および前記コンクリート台座は、陸側では縦方向の目地を覆って設置するとともに、これらに連結して陸側フーチング上に遮水工を設置して構成したので、陸側で海水の遮水性を確保するだけでなく、埋め立てなどにともなう他の液体などのシール性を確保することができる。
【００２３】
また、この発明の請求項６記載の上下分割ケーソン用目地構造の施工法によれば、上下に分割され隣接して配設されたケーソン間の縦方向の目地構造を施工するに際し、下段の隣接して配設されたケーソン間の目地に縦方向に、該目地の幅よりも広幅の板状の内側目地材を配設固定した後、この内側目地材を覆うように外側面が平坦なコンクリート台座を打設構築し、次いで、このコンクリート台座に前記目地を挟んで伸縮部を備える外側目地材を配設固定した後、下段のケーソン上に上段のケーソンを目地同士を略合わせて設置し、この上段の隣接するケーソン間の目地に縦方向に前記内側目地材に連結して目地の幅より広幅の板状の上段用の内側目地材を配設固定した後、この上段の内側目地材を覆うとともに、前記コンクリート台座と連続する外側面が平坦なコンクリート台座を上段に打設構築し、次いで、このコンクリート台座の上段の外側面に、前記外側目地材を伸ばして目地を挟んで配設固定するようにしたので、下段のケーソン間の縦方向の目地を内側目地材で塞ぎ、その上にコンクリート台座を打設し、その平坦な外側に外側目地材を設置して遮水状態とした後、上段のケーソンを設置し、内側目地材を連結して設置するとともに、コンクリート台座も連結して打設し、コンクリート台座の外側に連続した外側目地材を伸ばして固定することで、分割されたケーソンのずれを吸収するように施工することができ、平坦なコンクリート台座を介して外側に一体に連続した外側目地材を取り付けて遮水性の確保および地震時等の変位への対応を可能に施工することができる。
【００２４】
さらに、この発明の請求項７記載の上下分割ケーソン用目地構造の施工法によれば、前記コンクリート台座には、変位時の割れを誘発する切込み部を形成して打設構築するようにしたので、震時等の大きな力が加わる場合には、切込み部によって割れを誘発するように施工することができ、コンクリート台座の損傷を抑え、外側目地材でシール性を確保することができる。
【００２５】
また、この発明の請求項８記載の上下分割ケーソン用目地構造の施工法によれば、前記下段の内側目地材および前記コンクリート台座は、海側では縦方向の目地およびフーチング全面を覆って設置するようにし、陸側では縦方向の目地を覆って設置するようにしたので、目地の海側および陸側の両方で中詰材の流出を防止し、遮水性を確保することができる。
【発明を実施するための最良の形態】
【００２６】
以下、この発明の実施の形態について、図面に基づき詳細に説明する。  
図１〜図５はこの発明の上下分割ケーソン用目地構造およびその施工法の一実施の形態にかかり、図１は拡大横断面図、図２〜図５は一連の工程説明図であって図２および図３は下段のケーソンに対する各工程の概略斜視図、図４および図５は上段のケーソンに対する各工程の概略斜視図である。
【００２７】
この上下分割ケーソン用目地構造(以下、単に目地構造とする)１０では、図１に示すように、上下に分割され隣接して配設されたケーソン２，２間の目地３に縦方向に、この目地３の幅よりも広幅の板状の内側目地材１１を配設し、この内側目地材１１の外側を覆うように、外側面が平坦なコンクリート台座１２を配設し、さらに，このコンクリート台座１２の平坦な外側面１２ａに目地３を挟んでケーソン２、２に跨って伸縮部１３ａを備える外側目地材１３を配設して固定することで、遮水しシールするものであり，目地３の前後両側である海側および陸側の両方に設け、内側目地材１１、１１で塞がれた目地３の間には、アスファルトマスチック等の充填材１４を充填して構成される。
【００２８】
この発明の目地構造１０の適用対象である上下に分割され隣接して配置されるケーソン２、２では、既に図７で説明したように、その据え付けにあたってずれ(位置ずれ)が発生すること、および上段のケーソン２ｂを据え付ける場合には、航路とした下段のケーソン２ａの両側に通常のケーソン１，１が据え付けてあるため目地間が狭いことから、これらケーソン２の位置ずれおよび狭い目地間を考慮する必要がある。
【００２９】
そこで、この目地構造１０では、ケーソン２、２の目地３の海側および陸側の両方に目地材を目地３を挟んで隣接するケーソン２，２を跨ぐように配設している。すなわち、この目地構造１０では、例えば図１に示すように、ケーソン２、２の目地３に沿って両側にアンカーボルト１５を一定間隔で取り付け、目地３より幅が広い内側目地材１１を前後端(海側端および陸側端)の目地３を塞ぐパッキンとして機能するよう配置して帯状の押え板１６を当てナット１７で締付けて固定する。
【００３０】
この目地３を塞ぐパッキンとなる内側目地材１１は、ゴムや合成ゴム、合成樹脂等の弾性体からなる板状のもので、厚さ方向の中間部に合成繊維等による補強層が埋設されて構成してあり、目地３の幅より広幅とし、両側縁部をアンカーボルト１５によってケーソン２、２に取り付け可能な幅としてある。
【００３１】
このような内側目地材１１を用いることで、左右、あるいは上下に据え付けられるケーソン２，２に位置ずれ(左右、前後の位置ずれ)があっても支障なく目地３の前後端を塞ぐことができる。
【００３２】
この内側目地材１１の外側には、コンクリート台座１２が打設することで設けられ、外側面１２ａが平坦となるように形成され、ケーソン２、２の目地３の幅および内側目地材１１の幅に比べて十分広幅に形成されるとともに、その外側面１２ａに外側目地材１３を埋め込みアンカー１８を介して取り付けることができる厚さに形成してある。これにより、内側面に左右、上下に据え付けられるケーソン２、２間の位置ずれが生じてもこれを吸収することができ、しかも平坦な外側面１２ａに簡単に外側目地材１３を取り付けることができるようになる。
【００３３】
また、このコンクリート台座１２には、目地３と対応する位置に目地３に沿って外側面１２ａに開口する切込み部１９が形成してあり、据え付け後のケーソン２、２に加わる変位に対してこの切込み部１９から割れを誘発することで、大きな損傷が生じないようにしてある。
【００３４】
このコンクリート台座１２の平坦に形成された外側面１２ａには、ゴムや合成ゴム、合成樹脂等の弾性体からなる板状で、幅方向の端部に略Ｕ字状に突き出すように成形された伸縮部１３ａを備えるとともに、厚さ方向の中間部に合成繊維等による補強層が埋設されて構成した外側目地材１３が取り付けられる。この外側目地材１３は、内側目地材１１に比べて広幅とされ、コンクリート台座１２の切込み部１９での割れ等が生じても支障なく目地３のシール性を確保できるようにしてある。そして、埋め込みアンカー１８としてコンクリート台座１２の打設時に高さの高い高ナットが用いられ、外側目地材１３が押え板２０を介してボルト２１で取り付けてある。
【００３５】
このような目地構造１０によれば、目地３の前後を内側目地材１１で塞いで、その上にコンクリート台座１２を打設して外側面１２ａを平坦にすることで、分割されたケーソン２，２のずれを吸収することができ、平坦なコンクリート台座１２の外側面１２ａを介して外側に外側目地材１３を取り付けることで、遮水性の確保および地震時等の変位に対応することができる。
【００３６】
また、コンクリート台座１２には、変位時の割れを誘発する切込み部１９を形成したので、地震時等の大きな力が加わる場合には、切込み部１９によってコンクリート台座１９の割れを誘発することで、コンクリート台座１２の損傷を抑えることができ、外側目地材１３で地震時等の大きな力が加わる場合のシール性を確保することができる。
【００３７】
さらに、コンクリート台座１２には、外側目地材１３を固定する埋め込みアンカー１８を、目地３を挟んで埋設したので、埋め込みアンカー１８としての高ナットに押え板２０を介してボルト２１で取り付けることによって容易かつ強固に外側目地材１３をコンクリート台座１２に取り付けることができる。
【００３８】
なお、この目地構造１０では、後述するように、内側目地材１１およびコンクリート台座１２は、海側では縦方向の目地３およびケーソン２、２のフーチング２ｃ，２ｃの全面を覆って設置するようにして、海側の完全な遮水性を確保する。
【００３９】
さらに、この目地構造１０では、後述するように、内側目地材１１およびコンクリート台座１２は、陸側では縦方向の目地３を覆って設置するとともに、これらに連結してケーソン２、２の陸側フーチング２ｃ，２ｃ上に遮水工２２を設置するようにして、陸側で海水の遮水性を確保するだけでなく、埋め立てなどにともなう他の廃液などの液体のシール性を確保するようにする。
【００４０】
次ぎに、この目地構造１０の施工法について、図２〜図５に基づいて詳細に説明する。
この上下分割ケーソン用目地構造の施工法は、船舶を通過させる必要のある部分に上下に分割したケーソン２、２の下段のケーソン２ａ、２ａを捨石基礎上に、図２(ａ)に示すように、目地３を介して順次設置する。捨石基礎上に遮水板およびアスファルトマットを敷設し、陸上で作った下段のケーソン２ａ，２ａを海上輸送して設置する。この下段のケーソン２ａの設置の際、隣接する下段のケーソン２ａ、２ａ間には、前後のずれｘと上下のずれｚや目地３の間隔のずれが生じることになることから、これらのずれ量が設計範囲内であることを計測して確認する。そして、進水用吊り金具を水中切断した後、ケーソン２ａ内に中詰砂や割石の投入を行う。
【００４１】
この後、この目地構造１０の施工法では、図２(ｂ)に示すように、目地３の前後を塞いでパッキンとなる、目地３の幅より広幅のゴム板等で構成された内側目地材１１をアンカーボルト１５および帯状の押え板１６を介してナット１７で取り付ける。この内側目地材１１は、海側では、隣接するケーソン２ａ、２ａの縦方向の目地３に加え、フーチング２ｃ、２ｃの表面全体を塞ぐように取り付けるとともに、陸側では縦方向の目地３を塞ぐように取り付ける。
【００４２】
これにより、隣接するケーソン２ａ、２ａに前後のずれｘや上下のずれｚがあっても目地３の前後をパッキンとなる内側目地材１１で塞いでシール状態にすることができる。
【００４３】
次ぎに、図３(ａ)に示すように、内側目地材１１の外側を覆ってケーソン２ａ、２ａのずれを吸収して外側面１２ａが平坦なコンクリート台座１２を打設・構築するため、補強用の配筋および台座用型枠の設置を行うとともに、埋め込みアンカー１８とする高ナットを設置し、コンクリートを打設する。また、このコンクリート台座１２の打設の際、目地３に対応する外側面１２ａに切込み部１９を形成するようにしておく。
【００４４】
このコンクリート台座１２も内側目地材１１と同様に、海側では、隣接するケーソン２ａ、２ａの縦方向の目地３に加え、フーチング２ｃ、２ｃの表面全体を塞ぐように内側目地材１１を覆うように取り付けるとともに、陸側では縦方向の目地３を塞ぐように内側目地材１１を覆うように取り付ける(図３(ａ)参照)。
【００４５】
これにより、隣接するケーソン２ａ、２ａに前後のずれｘや上下のずれｚがあっても目地３の前後にコンクリート台座１２の外側面１２ａによる平坦面を確保することができ、これまでの一体型のケーソン用目地材を適用して目地３をシールすることが可能となる。
【００４６】
こうしてコンクリート台座１２を打設・構築した後、図３(ｂ)に示すように、コンクリート台座１２の平坦な外側面１２ａに伸縮部１３ａを備えた外側目地材１３で覆うようにし、目地３を挟む両側の端縁部を押え板２０を介して埋め込みアンカー１８とした高ナットにボルト２１で取り付ける。この外側目地材１３としては、これまでのケーソン用目地材と同様に、上下のケーソン２ａ、２ｂの目地の全長を覆うことができる長さのものを用い、上段のケーソン２ｂ用の部分は巻き重ねた状態、又は下方へ伸ばした状態としておく。
【００４７】
なお、この外側目地材１３自体は、複数に分割成形したものを連結して必要な長さとしても、全長分を一体に成形したものの何れでも良い。
【００４８】
さらに、陸側のケーソン２ａのフーチング２ｃ上には、コンクリート台座１２に連続させて遮水工２２を設置するとともに、継目部分にアスファルトマスチック２３で覆ってシールする(図３(ｂ)参照)。
【００４９】
このような目地構造の施工法によれば、隣接する下段のケーソン２ａ、２ａ間の目地３の前後を内側目地材１１で塞ぎ、外側面１２ａが平坦なコンクリート台座１２を打設・構築し、このコンクリート台座１２に予め埋め込んだ埋め込みアンカー１８に外側目地材１３を取り付けるようにしたので、下段のケーソン２ａ、２ａの目地３部分にずれが生じてもこれを吸収してコンクリート台座１２の外側面１２ａを平坦にすることで、埋め込みアンカー１８を利用して簡単に外側目地材１３を取り付けて遮水することができる。
【００５０】
また、設置後、ケーソン２ａ、２ａの変位によってコンクリート台座１２が追従できずに割れ等が発生してもその外側に取り付けた外側目地材１３が追従してシール性を保持することができる。
【００５１】
こうして下段のケーソン２ａ、２ａの据え付けを完了した後、ケーソンによる護岸等の完成に合わせて船舶の通過の必要がなくなると、上段のケーソン２ｂ、２ｂの据え付けが行われる。
【００５２】
上段のケーソン２ｂを据え付けるため、下段のケーソン２ａ内に複数の函内コンクリート型枠の設置や据え付けガイドの取り付けなどの準備を行った後、陸上で造った上段のケーソン２ｂを海上輸送し、図４(ａ)に示すように、下段のケーソン２ａ、２ａの目地３と略一致するよう上段のケーソン２ｂを据え付ける。目地材１１をケーソン両側（海側・廃棄物側）に取り付けることにより、アスファルトの流出を防ぎ、遮水工を形成する。
【００５３】
一方、上段のケーソン２ｂ、２ｂの外側では、図４(ｂ)に示すように、下段の場合と同様に、下段の内側目地材１１の端部に上段の内側目地材１１の端部を重ねるように連結し、アンカーボルト１５を打ち込んで押え板１６を当ててナット１７で締め付けて固定することで、目地３の前後を塞いだ状態とする。これにより、上段の隣接するケーソン２ｂ、２ｂ間に前後方向のずれｘや上下方向のずれｚ、左右方向のずれｙが生じてもこれを吸収した状態で目地３の前後を内側目地材１１でパッキンのように塞ぐことができる。
【００５４】
こうして目地３の前後を内側目地材１１で塞いだ後、下段のコンクリート台座１２と連続させ、平坦な外側面１２ａが連続するようにコンクリート台座１２用の配筋、埋め込みアンカー１８となる高ナットの設置などを行うとともに、型枠を設置し、図５ (ａ)に示すように、コンクリートを打設して上下段一体のコンクリート台座１２を構築する。この上段の目地３に対応するコンクリート台座１２にも切込み部１９を形成する。
【００５５】
この後、図５(ｂ)に示すように、上段に位置するコンクリート台座１２に下段のコンクリート台座１２に取り付けて巻き重ねてある、又は下方へ伸ばしてある外側目地材１３を巻き戻すようにしてコンクリート台座１２を覆って目地３を挟む両側のケーソン２ｂ、２ｂに跨るように配置し、埋め込みアンカー１８としての高ナットに押え板２０を当ててボルト２１で締め付けて取り付ける。これにより、コンクリート台座１２には、伸縮部１３ａを備えた外側目地材１３が目地を挟んで取り付けられるので、簡単に外側目地材１３を取り付けて目地３を遮水することができる。
【００５６】
また、設置後、ケーソン２ｂ、２ｂの変位によってコンクリート台座１２が追従できずに切込み部１９で誘発されて割れ等が発生してもその外側に取り付けた外側目地材１３が追従してシール性を保持することができる。
【００５７】
こうして外側目地材１３をケーソン２、２の目地３の前後に取り付けた後、目地３には、アスファルトマスチックによる充填材１４が注入されるとともに、上段のケーソン２ｂ内には、中詰砂２６が投入された後、進水用吊り金具が切断され、上端開口部が蓋コンクリート２７の打設によって塞がれ、通常のケーソン１と上下分割ケーソン２による護岸が完成する。
【００５８】
このような上下分割ケーソン用目地構造の施工法によれば、下段のケーソン２ａ，２ａ間の縦方向の目地３を内側目地材１１で塞ぎ、その上にコンクリート台座１２を打設し、その平坦な外側面１２ａに外側目地材１３を設置して遮水状態とした後、上段のケーソン２ｂを設置し、内側目地材１１を連結して設置するとともに、コンクリート台座１２も連結して打設し、コンクリート台座１２の外側の連続した外側面１２ａに外側目地材１３を伸ばして固定することで、分割されたケーソン２，２のずれを吸収するように施工することができ、平坦な外側面１２ａのコンクリート台座１２を介して外側に伸縮部１３ａを備え一体に連続した外側目地材１３を取り付けて遮水性の確保および地震時等の変位への対応を可能に施工することができる。
【００５９】
さらに、コンクリート台座１２に変位時の割れを誘発する切込み部１９を形成して打設構築するようにしたので、地震時等の大きな力が加わる場合には、切込み部１９によって割れを誘発するように施工することができ、コンクリート台座１２の損傷を抑え、外側目地材１３でシール性を確保することができる。
【００６０】
また、この上下分割ケーソン用目地構造の施工法によれば、下段の内側目地材１１およびコンクリート台座１２は、海側では縦方向の目地３およびフーチング２ｃ，２ｃの全面を覆って設置するようにし、陸側では縦方向の目地３を覆って設置するようにしたので、目地３の海側および陸側の両方で海水の遮水性を確保して施工することができる。
【００６１】
以上のように、この発明の上下分割ケーソン用目地構造およびその施工法によれば、上下に分割したケーソン２を用いることで、ケーソン１，２よる護岸の完成までの間、下段のケーソン２ａだけを据え付けておくことで、船舶の通過を許容することができ、しかも上下に分割されたケーソン２に対しても施工時のケーソン２ａ，２ｂのずれや据え付け後のケーソン２ａ，２ｂに変位が生じても外側目地材１３によってシール性を保持することができる。
【００６２】
なお、内側目地材および外側目地材の形状については、上記各実施形態のものに限定されるものではなく、内側目地材は、ケーソン間の目地幅よりも広幅の変形可能な材料からなるものであれば良く、外側目地材は、伸縮部を備えてコンクリート台座に目地を挟む両側のケーソンに跨る幅のものであれば、他の形状のものでも使用することができる。
【図面の簡単な説明】
【００６３】
【図１】この発明の上下分割ケーソン用目地構造およびその施工法の一実施の形態にかかる拡大横断面図である。
【図２】この発明の上下分割ケーソン用目地構造およびその施工法の一実施の形態にかかる一連の工程説明図であって、下段のケーソンに対する各工程の概略斜視図である。
【図３】この発明の上下分割ケーソン用目地構造およびその施工法の一実施の形態にかかる一連の工程説明図であって、下段のケーソンに対する各工程の概略斜視図である。
【図４】この発明の上下分割ケーソン用目地構造およびその施工法の一実施の形態にかかる一連の工程説明図であって、上段のケーソンに対する各工程の概略斜視図である。
【図５】この発明の上下分割ケーソン用目地構造およびその施工法の一実施の形態にかかる一連の工程説明図であって、上段のケーソンに対する各工程の概略斜視図である。
【図６】この発明が適用される上下分割ケーソンの概略斜視図である。
【図７】この発明が適用される上下分割ケーソンに生じるずれを説明する概略斜視図である。
【図８】この発明が適用される上下分割ケーソンに従来のケーソン用目地材を適用した場合の説明図である。
【符号の説明】
【００６４】
１        通常のケーソン
２        上下割ケーソン
２ａ      下段のケーソン
２ｂ      上段のケーソン
２ｃ      フーチング
３        目地
１０      上下分割ケーソン用目地構造(目地構造)
１１      内側目地材
１２      コンクリート台座
１２ａ    外側面
１３      外側目地材
１３ａ    伸縮部
１４      充填材
１５      アンカーボルト
１６      押え板
１７      ナット
１８      埋め込みアンカー(高ナット)
１９      切込み部
２０      押え板
２１      ボルト
２２      遮水工
２３      アスファルトマスチック
２４      鉄骨型枠
２５      アスファルトマスチック
２６      中詰砂
２７      蓋コンクリート
【図１】
0004927766.tif 000002
【図２】
0004927766.tif 000003
【図３】
0004927766.tif 000004
【図４】
0004927766.tif 000005
【図５】
0004927766.tif 000006
【図６】
0004927766.tif 000007
【図７】
0004927766.tif 000008
【図８】
0004927766.tif 000009